(57)【特許請求の範囲】
【請求項１】
方形の鋼板からなり、基礎に固定するためのボルト穴を有するとともに、その上面にボルトが溶接固定されてなる基礎固定部材と、
リップ山形鋼で形成されており、垂直部の先端に内方に向かうリップ部を有している他、水平部には前記基礎固定部材の上面に固定されたボルトが挿通可能な長穴状ボルト穴が設けられた下部取付部材と、
方形の鋼板からなり、梁に固定するためのボルト穴と上部取付部材を固定するための長穴状ボルト穴とを有する梁固定部材と、
リップ山形鋼で形成されており、垂直部の先端に内方に向かうリップ部を有している他、水平部には前記梁固定部材の長穴状ボルト穴に対応するボルト穴が設けられた上部取付部材と、
基礎と梁との間に配設され、裏面側上部左右および下部左右にボルト穴がそれぞれ形成され、各ボルト穴にはナット金具が配設されてなる外壁パネルと、
鋼板を折曲して形成され、その一端部に断面略Ｕ字状の係合部を有している他、長穴状のボルト穴が形成されてなる取付金具とから構成され、
外壁パネルは、裏面側上部左右および下部左右のボルト穴に合わせて取付金具が配置され、この取付金具のボルト穴を通してナット金具にボルトがねじ込まれ、上端部側および下端部側にそれぞれ係合部を向けて取付金具が仮止めされ、
基礎固定部材は、基礎のアンカーボルトにボルト穴を挿通させて基礎上面に載置されてナットで固定されるとともに、下部取付部材は、前記基礎固定部材のボルトにボルト穴を挿通させて基礎固定部材の上面に載置されてナットで固定され、
梁固定部材は、梁の下フランジの下面に配置され、ボルト穴と梁の下フランジのボルト穴とにボルトを挿通してナットで固定されるとともに、上部取付部材は、前記梁固定部材の下面に配置され、ボルト穴と梁固定部材のボルト穴とにボルトを挿通してナットで固定され、
前記外壁パネルが基礎固定部材に支持され、外壁パネルの裏面側下部左右に仮止めされた取付金具の係合部が下部取付部材のリップ部に係合され、外壁パネル裏面側上部左右に仮止めされた取付金具の係合部が上部取付金具のリップ部に係合された状態で、これら取付金具を仮止めしたボルトが締め付けられていることを特徴とする外壁パネルの取付構造。
【請求項２】
前記下部取付部材が長穴状ボルト穴を有し、この長穴状ボルト穴の範囲内で基礎に対する下部取付部材の出入調整が可能であり、
前記梁固定部材もしくは上部取付部材の少なくとも一方が長穴状ボルト穴を有し、この長穴状ボルト穴の範囲内で梁に対する上部取付部材の出入調整が可能であることを特徴とする請求項１記載の外壁パネルの取付構造。
【請求項３】
方形の鋼板からなり、下階の梁に固定するためのボルト穴と下部取付部材を固定するための長穴状ボルト穴とを有する下階梁固定部材と、
リップ山形鋼で形成されており、垂直部の先端に内方に向かうリップ部を有している他、水平部には前記下階は利固定部材の長穴状ボルト穴に対応するボルト穴が設けられた下部取付部材と、
方形の鋼板からなり、上階の梁に固定するためのボルト穴と上部取付部材を固定するための長穴状ボルト穴とを有する上階梁固定部材と、
リップ山形鋼で形成されており、垂直部の先端に内方に向かうリップ部を有している他、水平部には前記上階梁固定部材の長穴状ボルト穴に対応するボルト穴が設けられた上部取付部材と、
基礎と梁との間に配設され、裏面側上部左右および下部左右にボルト穴がそれぞれ形成され、各ボルト穴にはナット金具が配設されてなる外壁パネルと、
鋼板を折曲して形成され、その一端部に断面略Ｕ字状の係合部を有している他、長穴状のボルト穴が形成されてなる取付金具とから構成され、
外壁パネルは、裏面側上部左右および下部左右のボルト穴に合わせて取付金具が配置され、この取付金具のボルト穴を通してナット金具にボルトがねじ込まれ、上端部側および下端部側にそれぞれ係合部を向けて取付金具が仮止めされ、
下階梁固定部材は、梁の上フランジの上面に配置され、ボルト穴と梁の上フランジのボルト穴とにボルトを挿通してナットで固定されるとともに、下部取付部材は、前記下階梁固定部材の上面に配置され、ボルト穴と下階梁固定部材のボルト穴とにボルトを挿通してナットで固定され、
上階梁固定部材は、梁の下フランジの下面に配置され、ボルト穴と梁の下フランジのボルト穴とにボルトを挿通してナットで固定されるとともに、上部取付部材は、前記上階梁固定部材の下面に配置され、ボルト穴と上階梁固定部材のボルト穴とにボルトを挿通してナットで固定され、
前記外壁パネルが基礎固定部材に支持され、外壁パネルの裏面側下部左右に仮止めされた取付金具の係合部が下部取付部材のリップ部に係合され、外壁パネル裏面側上部左右に仮止めされた取付金具の係合部が上部取付金具のリップ部に係合された状態で、これら取付金具を仮止めしたボルトが締め付けられていることを特徴とする外壁パネルの取付構造。
【請求項４】
前記下階梁固定部材もしくは下部取付部材の少なくとも一方が長穴状ボルト穴を有し、この長穴状ボルト穴の範囲内で下階の梁に対する下部取付部材の出入調整が可能であり、前記上階梁固定部材もしくは上部取付部材の少なくとも一方が長穴状ボルト穴を有し、この長穴状ボルト穴の範囲内で上階の梁に対する上部取付部材の出入調整が可能であることを特徴とする請求項３記載の外壁パネルの取付構造。
【発明の詳細な説明】
【０００１】
【発明の属する技術分野】
本発明は、鉄骨系住宅における外壁パネルの取付構造に関するものである。
【０００２】
【従来の技術】
従来、住宅の外壁パネルを梁に対して固定する場合、溶接構造が採用されていた。具体的には、図９に示すように、外壁パネル１０１の裏面側上部左右および下部左右にそれぞれ取付金具１０２をボルト止めする一方、Ｈ形鋼で形成された梁１０３の上フランジ１０３ａや下フランジ１０３ｂに取付部材としての山形鋼１０４を溶接し、各取付金具１０２と外壁パネル１０１との間の間隙部に山形鋼１０４の垂直部１０４ａを差し込む。次いで、地震などによって取付金具１０２が回転し、山形鋼１０４から外れることを防止するとともに、外壁パネル１０１が梁１０３に対して水平移動することを防止するため、取付金具１０２を山形鋼１０４に溶接する。
【０００３】
なお、外壁パネル１０１は押し出し成形されたものであり、複数個の中空部１０１ａが形成されている。また、外壁パネル１０１の裏面側上部左右および下部左右の所定位置には、いずれか１つの中空部１０１ａに貫通するボルト穴が形成されている。そして、外壁パネル１０１のボルト穴には、中空部１０１ａの端部から挿入されたナット金具（図示せず）が予め配設されている。従って、外壁パネル１０１のボルト穴に配設されたナット金具に取付金具１０２のボルト穴を合わせてボルトをねじ込むことにより、外壁パネル１０１の所定位置に取付金具１０２を固定することができる。
【０００４】
【発明が解決しようとする課題】
しかしながら、前述したように、取付金具の回転を防止するために取付金具を山形鋼に溶接する場合、足場の悪い条件下で溶接作業を行わなければならず、作業が煩雑になるとともに、溶接作業を行うことのできる熟練技術者および溶接設備が必要となる。しかも、溶接によって溶融したスパッタが滴下し、資材が損傷したり、火災が発生するおそれもある。
【０００５】
本発明は、このような問題点に鑑みてなされたものであり、溶接作業を行うことなく、基礎および梁に対して外壁パネルを簡単確実に固定することのできる外壁パネルの取付構造を提供するものである。
【０００６】
【課題を解決するための手段】
本願発明のうち請求項１記載の発明は、方形の鋼板からなり、基礎に固定するためのボルト穴を有するとともに、その上面にボルトが溶接固定されてなる基礎固定部材と、リップ山形鋼で形成されており、垂直部の先端に内方に向かうリップ部を有している他、水平部には前記基礎固定部材の上面に固定されたボルトが挿通可能な長穴状ボルト穴が設けられた下部取付部材と、方形の鋼板からなり、梁に固定するためのボルト穴と上部取付部材を固定するための長穴状ボルト穴とを有する梁固定部材と、リップ山形鋼で形成されており、垂直部の先端に内方に向かうリップ部を有している他、水平部には前記梁固定部材の長穴状ボルト穴に対応するボルト穴が設けられた上部取付部材と、基礎と梁との間に配設され、裏面側上部左右および下部左右にボルト穴がそれぞれ形成され、各ボルト穴にはナット金具が配設されてなる外壁パネルと、鋼板を折曲して形成され、その一端部に断面略Ｕ字状の係合部を有している他、長穴状のボルト穴が形成されてなる取付金具とから構成され、外壁パネルは、裏面側上部左右および下部左右のボルト穴に合わせて取付金具が配置され、この取付金具のボルト穴を通してナット金具にボルトがねじ込まれ、上端部側および下端部側にそれぞれ係合部を向けて取付金具が仮止めされ、基礎固定部材は、基礎のアンカーボルトにボルト穴を挿通させて基礎上面に載置されてナットで固定されるとともに、下部取付部材は、前記基礎固定部材のボルトにボルト穴を挿通させて基礎固定部材の上面に載置されてナットで固定され、梁固定部材は、梁の下フランジの下面に配置され、ボルト穴と梁の下フランジのボルト穴とにボルトを挿通してナットで固定されるとともに、上部取付部材は、前記梁固定部材の下面に配置され、ボルト穴と梁固定部材のボルト穴とにボルトを挿通してナットで固定され、前記外壁パネルが基礎固定部材に支持され、外壁パネルの裏面側下部左右に仮止めされた取付金具の係合部が下部取付部材のリップ部に係合され、外壁パネル裏面側上部左右に仮止めされた取付金具の係合部が上部取付金具のリップ部に係合された状態で、これら取付金具を仮止めしたボルトが締め付けられていることを特徴とするものである。
【０００７】
請求項１記載の発明によれば、下部取付部材のリップ部および上部取付部材のリップ部に取付金具の係合部を係合させてボルトを締結するだけでよいことから、溶接作業は不要となり、一般の作業者によって外壁パネルを簡単に梁に対して固定することができる。また、取付金具がリップ部に係合していることにより、地震などによっても、外壁パネルが水平移動することがない他、取付金具が回転して上部取付部材や下部取付部材から離脱することもないことから、外壁パネルを梁に確実に固定することができる。
【０００８】
請求項１記載の発明において、前記下部取付部材が長穴状ボルト穴を有し、前記梁固定部材もしくは上部取付部材の少なくとも一方が長穴状ボルト穴を有する場合、これら長穴状ボルト穴の範囲内で基礎に対する下部取付部材の出入調整や梁に対する上部取付部材の出入調整が可能となる。
【０００９】
また、請求項３記載の発明は、方形の鋼板からなり、下階の梁に固定するためのボルト穴と下部取付部材を固定するための長穴状ボルト穴とを有する下階梁固定部材と、リップ山形鋼で形成されており、垂直部の先端に内方に向かうリップ部を有している他、水平部には前記下階は利固定部材の長穴状ボルト穴に対応するボルト穴が設けられた下部取付部材と、方形の鋼板からなり、上階の梁に固定するためのボルト穴と上部取付部材を固定するための長穴状ボルト穴とを有する上階梁固定部材と、リップ山形鋼で形成されており、垂直部の先端に内方に向かうリップ部を有している他、水平部には前記上階梁固定部材の長穴状ボルト穴に対応するボルト穴が設けられた上部取付部材と、基礎と梁との間に配設され、裏面側上部左右および下部左右にボルト穴がそれぞれ形成され、各ボルト穴にはナット金具が配設されてなる外壁パネルと、鋼板を折曲して形成され、その一端部に断面略Ｕ字状の係合部を有している他、長穴状のボルト穴が形成されてなる取付金具とから構成され、外壁パネルは、裏面側上部左右および下部左右のボルト穴に合わせて取付金具が配置され、この取付金具のボルト穴を通してナット金具にボルトがねじ込まれ、上端部側および下端部側にそれぞれ係合部を向けて取付金具が仮止めされ、下階梁固定部材は、梁の上フランジの上面に配置され、ボルト穴と梁の上フランジのボルト穴とにボルトを挿通してナットで固定されるとともに、下部取付部材は、前記下階梁固定部材の上面に配置され、ボルト穴と下階梁固定部材のボルト穴とにボルトを挿通してナットで固定され、上階梁固定部材は、梁の下フランジの下面に配置され、ボルト穴と梁の下フランジのボルト穴とにボルトを挿通してナットで固定されるとともに、上部取付部材は、前記上階梁固定部材の下面に配置され、ボルト穴と上階梁固定部材のボルト穴とにボルトを挿通してナットで固定され、前記外壁パネルが基礎固定部材に支持され、外壁パネルの裏面側下部左右に仮止めされた取付金具の係合部が下部取付部材のリップ部に係合され、外壁パネル裏面側上部左右に仮止めされた取付金具の係合部が上部取付金具のリップ部に係合された状態で、これら取付金具を仮止めしたボルトが締め付けられていることを特徴とするものである。
【００１０】
請求項３記載の発明によれば、下部取付部材のリップ部または上部取付部材のリップ部に取付金具の係合部を係合させてボルトを締結するだけでよいことから、溶接作業は不要となり、一般の作業者によって外壁パネルを簡単に梁に対して固定することができる。また、取付金具がリップ部に係合していることにより、地震などによっても、外壁パネルが水平移動することがない他、取付金具が回転して上部取付部材や下部取付部材から離脱することもないことから、外壁パネルを梁に確実に固定することができる。
【００１１】
請求項３記載の発明において、前記下階梁固定部材もしくは下部取付部材の少なくとも一方が長穴状ボルト穴を有し、前記上階梁固定部材もしくは上部取付部材の少なくとも一方が長穴状ボルト穴を有している場合、これら長穴状ボルト穴の範囲内で下階の梁に対する下部取付部材の出入調整や上階の梁に対する上部取付部材の出入調整が可能となる。
【００１４】
【発明の実施の形態】
次に、本発明の外壁パネルの取付構造の実施形態について説明する。
【００１５】
図１には、本発明の外壁パネルの取付構造の一実施形態が示されている。
この外壁パネルの取付構造は、基礎１上面に固定された基礎固定部材２と、該基礎固定部材２上面に固定された下部取付部材３と、前記基礎１上方に配設された梁４の下フランジ４ａ下面に固定された梁固定部材５と、該梁固定部材５下面に固定された上部取付部材６と、基礎１と梁４との間に配設された外壁パネル７と、外壁パネル７の裏面側上部左右および下部左右にそれぞれ固定された係合部８ａを有する取付金具８とから構成されている。
【００１６】
前記基礎固定部材２は方形の鋼板で形成されており、基礎１に固定するためのボルト穴２ａを有するとともに、その上面にはボルト９が溶接によって予め固定されている（図３参照）。
【００１７】
前記梁固定部材５は方形の鋼板で形成されており、梁４に固定するためのボルト穴５ａと上部取付部材６を固定するための長穴状ボルト穴５ｂを有している（図４参照）。
【００１８】
また、前記下部取付部材３はリップ山形鋼で形成されており、垂直部３１の先端に内方に向かうリップ部３１ａを有している他、水平部３２には前述した基礎固定部材２の上面に固定されたボルト９が挿通可能な長穴状ボルト穴３２ａが設けられている。この下部取付部材２は、後述するように、垂直部３１が室外側に配置され、水平部３２が基礎固定部材２の上面に配置された状態で、ボルト９にナット固定されている。
【００１９】
前記上部取付部材６も、下部取付部材３と同様に、リップ山形鋼で形成されており、垂直部６１の先端に内方に向かうリップ部６１ａを有している他、水平部６２には、前述した梁固定部材５の長穴状ボルト穴５ｂに対応するボルト穴６２ａを有している。この上部取付部材６は、後述するように、垂直部３１が室外側に配置され、水平部６２が梁固定部材５の下面に配置された状態で、それらのボルト穴５ｂ，６２ａに挿通されたボルトにナット固定されている。
【００２０】
外壁パネル７には、その裏面側上部左右および下部左右にボルト穴７ａがそれぞれ形成され、各ボルト穴７ａには中空部７ｂの端部から挿入されたナット金具１０が配設されている（図２参照）。
【００２１】
この外壁パネル７に配設されたナット金具１０に取付金具８がボルト止めされている。この取付金具８は、鋼板を折曲して形成され、その一端部に断面略Ｕ字状の係合部８ａを有している他、長穴状のボルト穴８ｂが形成されている。この取付金具８のうち、外壁パネル７の裏面側下部左右に固定された取付金具８は、その係合部８ａが下方となるように配置されており、外壁パネル７の裏面側上部左右に固定された取付金具８は、その係合部８ａが上方となるように配置されている。
【００２２】
次に、外壁パネル７を基礎１と梁４との間に取り付ける手順について説明する。
【００２３】
まず、図２に示すように、取付金具８を把持し、その係合部８ａを外壁パネル７の下端部側に向けてそのボルト穴８ｂを外壁パネル７の裏面側下部左右のボルト穴７ａに合わせて配置し、取付金具８のボルト穴８ｂを通してナット金具１０にボルト１１をねじ込み、取付金具８仮止めする。同様に、取付金具８を把持し、その係合部８ａを外壁パネル７の上端部側に向けてそのボルト穴８ｂを外壁パネル７の裏面側上部左右のボルト穴７ａに合わせて配置し、取付金具８のボルト穴８ｂを通してナット金具１０にボルト１１をねじ込み、取付金具８を仮止めする。
【００２４】
一方、図３に示すように、基礎１上面に予め固定されているアンカーボルト１２に基礎固定部材２のボルト穴２ａを挿通させて基礎固定部材２を基礎１上面に載置し、ナット固定する。
【００２５】
続いて、基礎固定部材２のボルト９に下部取付部材３の水平部３２に設けられたボルト穴３２ａを挿通し、下部取付部材３を基礎固定部材２上面に載置した後、ナット固定する。このとき、外壁パネル７の取付位置を調整するため、基礎固定部材２に対する下部取付部材３の出入調整を行う。例えば、外壁パネル７を所定の距離だけ室内側にずらして取り付ける場合には、下部取付部材３を所定の距離だけ室内側にずらして固定すればよい。なお、出入調整は、下部取付部材３の水平部３２に設けられた長穴状ボルト穴３２ａの範囲内で行われる。
【００２６】
次いで、図４に示すように、梁４の下フランジ４ａ下面に梁固定部材５を配置し、そのボルト穴５ａと梁４の下フランジ４ａに設けられたボルト穴にボルトを挿通してナット固定する。さらに、梁固定部材５下面に上部取付部材６を配置し、それらのボルト穴５ｂ，６２ａにボルトを挿通してナット固定する。このとき、外壁パネル７の取付位置を調整するため、上部取付部材６の出入調整を行う。例えば、外壁パネル７を所定の距離だけ室内側にずらして取り付ける場合には、上部取付部材６を所定の距離だけ室内側にずらして固定すればよい。なお、出入調整は、梁固定部材５に設けられた長穴状ボルト穴５ｂの範囲内で行われる。
【００２７】
次いで、クレーン等を利用して外壁パネル７を吊り上げ、その下端部を基礎固定部材２に載置した後、外壁パネル７の裏面側下部左右に仮止めされた取付金具８の係合部８ａを下部取付部材３のリップ部３１ａに係合させ、ボルト１１を締め付ける。続けて、外壁パネル７の裏面側上部左右に仮止めされた取付金具８の係合部８ａを上部取付部材６のリップ部６１ａに係合させ、ボルト１１を締め付ける。
【００２８】
この結果、下部取付部材３のリップ部３１ａおよび上部取付部材６のリップ部６１ａに取付金具８を係合させてボルト１１を締め付けるだけの簡単な作業によって、外壁パネル７を基礎１と梁４との間に固定することができる。また、取付金具８がリップ部３１ａ，６１ａに係合していることにより、地震などによっても、外壁パネル７が水平移動することがない他、取付金具８が回転して下部取付部材３や上部取付部材６から離脱することもないことから、外壁パネル７を基礎１と梁４との間に確実に固定することができる。
【００２９】
ところで、前述した実施形態においては、基礎と梁との間に１階の外壁パネルを取り付ける際の外壁パネルの取付構造を例示したが、下階の梁と上階の梁との間に２階以上の外壁パネルを取り付ける場合においても、本発明の外壁パネルの取付構造を採用することができる。
【００３０】
以下、このような外壁パネルの取付構造の実施形態について説明する。
図５には、本発明の外壁パネルの取付構造の他の実施形態が示されている。
【００３１】
この外壁パネルの取付構造は、下階の梁４の上フランジ４ｂ上面に固定された下階梁固定部材１３と、該下階梁固定部材１３上面に固定された下部取付部材３と、上階の梁４の下フランジ４ａ下面に固定された上階梁固定部材１４と、該上階梁固定部材１４下面に固定された上部取付部材６と、下階の梁４と上階の梁４との間に配設された上階の外壁パネル７と、上階の外壁パネル７の裏面側上部左右および下部左右にそれぞれ固定された係合部８ａを有する取付金具８とから構成されている。
【００３２】
なお、下部取付部材３、上部取付部材６、外壁パネル７および取付金具８は、前述の実施形態において同じ名称で示した各部材と同一の部材であるので、ここでは詳細な説明を省略する。
【００３３】
ただし、下部取付部材３において、水平部３２は長穴状ボルト穴３２ａに代えて丸穴状ボルト穴３２ａ′を有している。
【００３４】
前記下階梁固定部材１３は方形の鋼板で形成されており、梁４に固定するためのボルト穴１３ａと、下部取付部材６を固定するための長穴状ボルト穴１３ｂとを有している（図６参照）。
【００３５】
また、上階梁固定部材１４は、図４に示す梁固定部材５と同様に、方形の鋼板で形成されており、上階の梁４に固定するためのボルト穴と、上部取付部材６を固定するための長穴状ボルト穴とを有している。
【００３６】
次に、外壁パネル７を上階の梁４と下階の梁４との間に取り付ける手順について説明する。
【００３７】
まず、前述と同様の手順で、外壁パネル７の中空部７ｂに挿入されたナット金具１０に取付金具８をボルト１１によって仮止めする。
【００３８】
次いで、図６に示すように、下階の梁４の上フランジ４ｂ上面に下階梁固定部材１３を載置し、そのボルト穴１３ａと梁４の下フランジ４ａのボルト穴にボルトを挿通してナット固定する。さらに、下階梁固定部材１３上面に下部取付部材３を配置し、それらのボルト穴１３ｂ，６２ａにボルトを挿通してナット固定する。このとき、外壁パネル７の取付位置を調整するため、下部取付部材３の出入調整を行う。例えば、外壁パネル７を所定の距離だけ室内側にずらして取り付ける場合には、下部取付部材３を所定の距離だけ室内側にずらして固定すればよい。なお、出入調整は、下階梁固定部材１３に設けられた長穴状ボルト穴１３ｂの範囲内で行われる。
【００３９】
続いて、前述と同様の手順で、上階の梁４の下フランジ４ａ下面に上階梁固定部材１４と上部取付部材６とを順次固定する。
【００４０】
次いで、クレーン等を利用して外壁パネル７を吊り上げ、その下端部を下階梁固定部材１３に載置した後、外壁パネル７の裏面側下部左右に仮止めされた取付金具８の係合部８ａを下部取付部材３のリップ部３１ａに係合させ、ボルト１１を締め付ける。続いて、外壁パネル７の裏面側上部左右に仮止めされた取付金具８の係合部８ａを上部取付部材６のリップ部６１ａに係合させ、ボルト１１を締め付ける。
【００４１】
この結果、下部取付部材３のリップ部３１ａおよび上部取付部材６のリップ部６１ａに取付金具８を係合させてボルト１１を締め付けるだけの簡単な作業によって、外壁パネル７を下階の梁４と上階の梁４との間に確実に固定することができる。また、取付金具８がリップ部３１ａ，６１ａに係合していることにより、地震などによっても、外壁パネル７が水平移動することがない他、取付金具８が回転して下部取付部材３や上部取付部材６から離脱することもないことから、外壁パネル７を下階の梁４と上階の梁４との間に確実に固定することができる。
【００４２】
なお、この実施形態においては、下階梁固定部材１３および上階梁固定部材１４に設けられた２種類のボルト穴１３ａ，１３ｂ，１４ａ，１４ｂのうち、下部取付部材３および上部取付部材６を固定するために設けられたボルト穴１３ｂ，１４ｂのみが長穴であるが、例えば全てのボルト穴１３ａ，１３ｂ，１４ａ，１４ｂが長穴であってもよく、また、梁４に下階梁固定部材１３や上階梁固定部材１４を固定するために設けられたボルト穴１３ａ，１４ａが長穴であってもよい。
【００４３】
ところで、外壁パネルの下方に位置して、軒裏等を隠す垂壁としての外壁パネルを配設する場合がある、以下、垂壁としての外壁パネルの取付構造の実施形態について説明する。
【００４４】
図７には、本発明の外壁パネルの取付構造のさらに他の実施形態が示されている。
【００４５】
この外壁パネルの取付構造は、下階の梁４と上階の梁４との間に配設された上階の外壁パネル７の下方に配設された垂壁としての外壁パネル７と、下階の梁４の上フランジ４ｂ上面に固定された下階梁固定部材１３と、前記下階梁固定部材１３下面に固定された上部取付部材１５と、下階の梁４の下フランジ４ａ下面に固定された下部取付部材１８と、垂壁としての外壁パネル７の裏面側上部左右に固定された挟持部１６ａを有する取付金具１６とから構成されている。
【００４６】
なお、下部取付部材３、外壁パネル７、取付金具８、下階梁固定部材１３および上階梁固定部材１４は、前述の実施形態において同じ名称で示した各部材と同一の部材であるので、ここでは詳細な説明を省略する。
【００４７】
ただし、下階梁固定部材１３は、梁４に固定するための丸穴状ボルト穴１３ａに代えて長穴状ボルト穴１３ａ′を有している他、下部取付部材３を固定するための長穴状ボルト穴１３ｂに代えて丸穴状ボルト穴１３ｂ′を有している。
【００４８】
また、前記垂壁の上部を固定するための上部取付部材１５は、鋼板を断面Ｌ字状に折曲して形成され、その水平部１５ａは下階梁固定部材１３に固定するためのボルト穴を有している。この上部取付部材１５は、後述するように、垂直部１５ｂが室外側に配置され、水平部１５ａが下階梁固定部材１３の下面に配置された状態で、水平部１５ａのボルト穴や下階梁固定部材１３のボルト穴１３ｂ′に挿通されたボルト１７にナット固定されている。
【００４９】
前記垂壁の下部を固定するための下部取付部材１８は、鋼板を断面略Ｚ字状に折曲して形成され、その上部水平部１８１は長穴状ボルト穴１８１ａを有している他、垂直部１８２は、後述する垂壁としての外壁パネル７の裏面側下部左右のボルト穴（ナット金具１０）に対応するボルト穴１８２ａを有している。この下部取付部材１８は、後述するように、下部水平部１８３の先端が室外側に配置され、上部水平部１８１が梁４の下フランジ４ａ下面に配置された状態で、上部水平部１８１の長穴状ボルト穴１８１ａや梁４の下フランジ４ａのボルト穴に挿通されたボルト１９にナット固定されている。
【００５０】
一方、垂壁としての外壁パネル４の裏面側上部左右に固定された垂壁用取付金具１６は、鋼板を折曲して形成され、その一端部に断面略く字状の挟持部１６ａを有している他、長穴状ボルト穴が形成されている。
【００５１】
次に、上階の外壁パネル７を上階の梁４と下階の梁４との間に取り付けるとともに、垂壁としての外壁パネル７を下階の梁４に取り付ける手順について説明する。
【００５２】
まず、前述と同様の手順で、上階の外壁パネル７の裏面側上部左右および下部左右に取付金具８をそれぞれ仮止めする。さらに、垂壁用取付金具１６を把持し、その挟持部１６ａを垂壁としての外壁パネル７の上端部側に向けてそのボルト穴を垂壁としての外壁パネル７の裏面側上部左右のボルト穴に合わせて配置する。この垂壁用取付金具１６のボルト穴と外壁パネル７の裏面側上部左右のボルト穴とにボルト１１を挿通した後、ナット金具１０にボルト１１をねじ込み、垂壁用取付金具１６をボルト止めする。
【００５３】
次いで、図８に示すように、下階の梁４の上フランジ４ｂ上面に下階梁固定部材１３を配置し、長穴状ボルト穴１３ａ′と梁４の上フランジ４ｂのボルト穴とにボルトを挿通してナット固定する。このとき、外壁パネル７の取付位置を調整するため、下階梁固定部材１３の出入調整を行う。例えば、外壁パネル７を所定の距離だけ室内側にずらして取り付ける場合には、下階梁固定部材１３を所定の距離だけ室内側にずらして固定すればよい。なお、この出入調整は、下階梁固定部材１３に設けられた長穴状ボルト穴１３ａ′の範囲内で行われる。
【００５４】
続いて、この下階梁固定部材１３下面に垂壁としての外壁パネル７の上部を固定するための上部取付部材１５を配置し、この上部取付部材１５の水平部１５ａに設けられたボルト穴（図示せず）と下階梁固定部材１３のボルト穴１３ｂ′とにボルト１７を挿通してナット固定する。さらに、このボルト１７を、垂壁の上方に配設される外壁パネル７を固定するための下部取付部材３のボルト穴３２ａ′に挿通し、下階梁固定部材１３上面に下部取付部材３を載置した後、ナット固定する。
【００５５】
続いて、下階の梁４の下フランジ４ａ下面に、垂壁としての外壁パネル７の下部を固定するための下部取付部材１８の上部水平部１８１を配置し、この水平部１８１に設けられた長穴状ボルト穴１８１ａと梁４の下フランジ４ａのボルト穴とにボルト１９を挿通してナット固定する。このとき、垂壁としての外壁パネル７の取付位置を調整するため、下部取付部材１８の出入調整を行う。例えば、外壁パネル７を所定の距離だけ室内側にずらして取り付ける場合には、下部取付部材１８を所定の距離だけ室内側にずらして固定すればよい。なお、この出入調整は、下部取付部材１８に設けられた長穴状ボルト穴１８１ａの範囲内で行われる。
【００５６】
続いて、前述と同様の手順で、上階の梁４の下フランジ４ａ下面に上階梁固定部材１４と上部取付部材６とを順次固定する。
【００５７】
次いで、前述と同様の手順で、下部取付部材３と上部取付部材６とに上階の外壁パネル７の裏面側上部左右および下部左右に固定された取付部材８をそれぞれ固定する。
【００５８】
続いて、垂壁としての外壁パネル７の裏面側上部左右に固定された垂壁用取付金具１６の挟持部１６ａと垂壁としての外壁パネル７との間に上部取付部材１５の垂直部１５ｂを差し込んだ後、垂壁としての外壁パネル７の下端部を下部取付部材１８の下部水平部１８３に載置する。そして、垂壁としての外壁パネル７の中空部の下部左右に配設されたナット金具１０に、下部取付部材１８の垂直部１８２に形成されたボルト穴１８２ａと垂壁としての外壁パネル７の裏面側下部左右に形成されたボルト穴とにボルト２０を挿入した後、垂壁としての外壁パネル７の中空部７ｂの下部に予め挿入されているナット金具１０にボルト２０をねじ込み、垂壁としての外壁パネル７を下部取付部材１８に固定する。
【００５９】
この結果、下部取付部材３のリップ部３１ａおよび上部取付部材６のリップ部６１ａに上階の外壁パネル７に固定された取付金具８を係合させてボルト１１を締め付けるとともに、垂壁としての外壁パネル７に固定された垂壁用取付金具１６の挟持部１６ａと垂壁としての外壁パネル７との間に上部取付部材１５の垂直部１５ｂを差し込み、垂壁としての外壁パネル７の下部を下部取付部材１８にボルト止めするだけの簡単な作業によって、上階の外壁パネル７を下階の梁４と上階の梁４との間に固定できるとともに、垂壁としての外壁パネル７を下階の梁４に固定することができる。
【００６０】
【発明の効果】
以上説明したように、本発明によれば、溶接作業を行うことなく、基礎および梁に対して外壁パネルを簡単確実に固定することのできる外壁パネルの取付構造を提供できる。
【図面の簡単な説明】
【図１】本発明の外壁パネルの取付構造の一実施形態を示す断面図である。
【図２】外壁パネルに取付金具を取り付ける手順を示す説明図である。
【図３】基礎に基礎固定部材および下部取付部材を取り付ける手順を示す説明図である。
【図４】梁に梁固定部材および上部取付部材を取り付ける手順を示す説明図である。
【図５】本発明の外壁パネルの取付構造の他の実施形態を示す断面図である。
【図６】下階の梁に下階梁固定部材および下部取付部材を取り付ける手順を示す説明図である。
【図７】本発明の外壁パネルの取付構造のさらに他の実施形態を示す断面図である。
【図８】下階の梁に下階梁固定部材、下部取付部材および上部取付部材を取り付ける手順を示す説明図である。
【図９】従来の外壁パネルの取付構造を一部省略して示す斜視図である。
【符号の説明】
１  基礎
２  基礎固定部材
３，１８  下部取付部材
４  梁
４ａ  下フランジ
４ｂ  上フランジ
５  梁固定部材
６，１５  上部取付部材
７  外壁パネル
８  取付金具
１３  下階梁固定部材
１４  上階梁固定部材
１６  垂壁用取付金具
【図１】
0003639729.tif 000002
【図２】
0003639729.tif 000003
【図３】
0003639729.tif 000004
【図４】
0003639729.tif 000005
【図５】
0003639729.tif 000006
【図６】
0003639729.tif 000007
【図７】
0003639729.tif 000008
【図８】
0003639729.tif 000009
【図９】
0003639729.tif 000010